(57)【要約】【課題】本発明は筆置き台を開示した。【解決手段】本発明は筆置き台を開示し、外殻を含み、前記サポート台スライド溝の中にはサポート台がスライドできるように取り付けられ、前記筆差込溝の後側にはプーリ溝が左右に対称的に設置され、前記プーリ溝と前記プーリ溝との間には連通したプーリ軸スライド溝が設置され、前記サポート台にはプーリ軸が回転できるように取り付けられ、使った後の筆の水を搾れ、固定部品が穂首を、水を搾る位置に確保でき、ペン先を損害しなく、水を搾った後乾燥な環境に置き、筆の毛の乾燥を保証し、書写する時筆の置き方式を変え、穂首を内部に向かせ、間違って触らないのを保証できる。【選択図】図１
2020179655.tif 000002
【特許請求の範囲】
【請求項１】
正面視で、外殻を含み、前記外殻の中には上に開口した筆差込溝が設置され、前記外殻の中には筆を筆差込溝の中に固定できる固定部品が設置され、前記固定部品は前記筆差込溝の左右の内壁の中に左右に対称的に設置されたサポート台スライド溝を含み、前記サポート台スライド溝の中にはサポート台がスライドできるように取り付けられ、前記筆差込溝の後側にはプーリ溝が左右に対称的に設置され、前記プーリ溝と前記プーリ溝との間には連通したプーリ軸スライド溝が設置され、前記サポート台にはプーリ軸が回転できるように取り付けられ、前記プーリ軸には筆の筆管を挟める挟み輪が固定的に取り付けられ、前記プーリ軸の後側端面には第一プーリが固定的に取り付けられ、前記サポート台スライド溝の上側には前記筆差込溝と連通し合った固定溝が左右に対称的に設置され、前記固定溝の中には筆の筆管を固定できる挟みブロックがスライドできるように取り付けられ、前記固定溝と前記プーリ溝との間にはネジ山軸が回転できるように取り付けられ、前記ネジ山軸の後側端面には第二プーリが固定的に取り付けられ、前記第二プーリが前記第二プーリと前記第一プーリとの間に取り付けられたベルトによって回転連動し、前記プーリ溝の前後の内壁の間にはガイド輪支持棒が上下に対称的にヒンジで取り付けられ、前記ガイド輪支持棒の末端にはガイド輪が回転できるように取り付けられ、前記ガイド輪と前記ベルトとが接触し、前記ベルトをピント張った状態にさせ、上下の前記ガイド輪支持棒の間には引き撥条が固定的に取り付けられ、前記固定溝の前側の内壁の中にはネジスリーブスライド溝が設置され、前記ネジスリーブスライド溝の中にはネジスリーブがスライドできるように取り付けられ、前記ネジスリーブと前記ネジ山軸とがネジ山によって連結され、前記ネジ山軸が回転しながら前記ネジスリーブを前後にスライド連動させ、前記挟みブロックを推して前記筆差込溝の円心の方向に運動させ、筆の筆管を固定させ、前記挟みブロックと前記固定溝の一側の内壁との間には復帰撥条が固定的に取り付けられ、前記固定部品の下側には水搾り部品が設置され、前記水搾り部品は前記筆差込溝の中に設置された水搾り溝を含み、前記水搾り溝の中には押しブロックが左右に対称的にスライドできるように取り付けられ、左右の前記押しブロックの間には穂首の水を搾れる水搾りリングが設置され、前記水搾りリングが前記押しブロックによって水搾りリングの中の穂首を圧縮して水を絞り、前記水搾り溝の右側の内壁を前記外殻の左端面との間にはハンドル車軸が回転できるように取り付けられ、前記ハンドル車軸には二つの回転方向が反対したネジ山が設置され、前記押しブロックと前記ハンドル車軸とがネジ山によって連結され、前記ハンドル車軸の左側端面にはハンドル車が固定的に取り付けられ、前記筆差込溝の底壁には搾り出した水を盛る水盛り溝が設置され、前記固定部品の右側には置き部品が設置され、前記置き部品は前記外殻の頂部端面に設置された乾燥溝を含み、前記乾燥溝の内壁には水を吸収できる乾燥剤が固定的に取り付けられ、前記乾燥溝の後側の内壁には筆を固定できる固定挟みが固定的に取り付けられ、前記置き部品は前記外殻の前側端面に設置された一時的に筆を置ける臨時置き台を含むことを特徴とする筆置き台。
【請求項２】
前記固定部品は前記サポート台の一側端面と前記サポート台スライド溝の一側の内壁との間に固定的に取り付けられた押し撥条を含み、左側の前記サポート台スライド溝の左側にはスライド棒溝が設置され、左側の前記サポート台スライド溝と前記スライド棒溝との間にはスライド棒がスライドできるように取り付けられ、前記スライド棒と左側の前記サポート台の左側端面とが固定的に連結され、前記スライド棒には固定ピンが固定的に取り付けられ、前記スライド棒溝と前記外殻の頂部端面との間にはボタンがスライドできるように取り付けられ、前記ボタンと前記固定ピンとがスライドできるように連結されていることを特徴とする請求項１に記載の筆置き台。
【請求項３】
前記置き部品はまた前記外殻の頂部端面に固定的に取り付けられた支持棒を含み、前記支持棒には横棒が固定的に取り付けられ、前記横棒の底部端面にはフックが固定的に取り付けられていることを特徴とする請求項１に記載の筆置き台。
【発明の詳細な説明】
【技術分野】
【０００１】
本発明は文房具の分野を取り上げて、具体的には筆置き台である。
【背景技術】
【０００２】
筆が使われた後一般に大量な水分が残っており、もし乾燥させるタイミングが悪く、筆の質に一定の影響を及ぼし、一般的な筆置き台は、書写する時に臨時使用に使われるだけ、穂首に水を搾ったり、乾燥して保存したりすることはできない。
【先行技術文献】
【特許文献】
【０００３】
【特許文献１】中国特許出願公開第１０４４４２１３２号明細書
【発明の概要】
【発明が解決しようとする課題】
【０００４】
本発明の目的は筆置き台を提供し、現有の技術の上記欠点を克服できる。
【課題を解決するための手段】
【０００５】
本発明の実施例における筆置き台は、外殻を含み、前記外殻の中には上に開口した筆差込溝が設置され、前記外殻の中には筆を筆差込溝の中に固定できる固定部品が設置され、前記固定部品は前記筆差込溝の左右の内壁の中に左右に対称的に設置されたサポート台スライド溝を含み、前記サポート台スライド溝の中にはサポート台がスライドできるように取り付けられ、前記筆差込溝の後側にはプーリ溝が左右に対称的に設置され、前記プーリ溝と前記プーリ溝との間には連通したプーリ軸スライド溝が設置され、前記サポート台にはプーリ軸が回転できるように取り付けられ、前記プーリ軸には筆の筆管を挟める挟み輪が固定的に取り付けられ、前記プーリ軸の後側端面には第一プーリが固定的に取り付けられ、前記サポート台スライド溝の上側には前記筆差込溝と連通し合った固定溝が左右に対称的に設置され、前記固定溝の中には筆の筆管を固定できる挟みブロックがスライドできるように取り付けられ、前記固定溝と前記プーリ溝との間にはネジ山軸が回転できるように取り付けられ、前記ネジ山軸の後側端面には第二プーリが固定的に取り付けられ、前記第二プーリが前記第二プーリと前記第一プーリとの間に取り付けられたベルトによって回転連動し、前記プーリ溝の前後の内壁の間にはガイド輪支持棒が上下に対称的にヒンジで取り付けられ、前記ガイド輪支持棒の末端にはガイド輪が回転できるように取り付けられ、前記ガイド輪と前記ベルトとが接触し、前記ベルトをピント張った状態にさせ、上下の前記ガイド輪支持棒の間には引き撥条が固定的に取り付けられ、前記固定溝の前側の内壁の中にはネジスリーブスライド溝が設置され、前記ネジスリーブスライド溝の中にはネジスリーブがスライドできるように取り付けられ、前記ネジスリーブと前記ネジ山軸とがネジ山によって連結され、前記ネジ山軸が回転しながら前記ネジスリーブを前後にスライド連動させ、前記挟みブロックを推して前記筆差込溝の円心の方向に運動させ、筆の筆管を固定させ、前記挟みブロックと前記固定溝の一側の内壁との間には復帰撥条が固定的に取り付けられ、前記固定部品の下側には水搾り部品が設置され、前記水搾り部品は前記筆差込溝の中に設置された水搾り溝を含み、前記水搾り溝の中には押しブロックが左右に対称的にスライドできるように取り付けられ、左右の前記押しブロックの間には穂首の水を搾れる水搾りリングが設置され、前記水搾りリングが前記押しブロックによって水搾りリングの中の穂首を圧縮して水を絞り、前記水搾り溝の右側の内壁を前記外殻の左端面との間にはハンドル車軸が回転できるように取り付けられ、前記ハンドル車軸には二つの回転方向が反対したネジ山が設置され、前記押しブロックと前記ハンドル車軸とがネジ山によって連結され、前記ハンドル車軸の左側端面にはハンドル車が固定的に取り付けられ、前記筆差込溝の底壁には搾り出した水を盛る水盛り溝が設置され、前記固定部品の右側には置き部品が設置され、前記置き部品は前記外殻の頂部端面に設置された乾燥溝を含み、前記乾燥溝の内壁には水を吸収できる乾燥剤が固定的に取り付けられ、前記乾燥溝の後側の内壁には筆を固定できる固定挟みが固定的に取り付けられ、前記置き部品は前記外殻の前側端面に設置された一時的に筆を置ける臨時置き台を含む。
【０００６】
更なる技術方案、前記固定部品は前記サポート台の一側端面と前記サポート台スライド溝の一側の内壁との間に固定的に取り付けられた押し撥条を含み、左側の前記サポート台スライド溝の左側にはスライド棒溝が設置され、左側の前記サポート台スライド溝と前記スライド棒溝との間にはスライド棒がスライドできるように取り付けられ、前記スライド棒と左側の前記サポート台の左側端面とが固定的に連結され、前記スライド棒には固定ピンが固定的に取り付けられ、前記スライド棒溝と前記外殻の頂部端面との間にはボタンがスライドできるように取り付けられ、前記ボタンと前記固定ピンとがスライドできるように連結されている。
【０００７】
前記置き部品はまた前記外殻の頂部端面に固定的に取り付けられた支持棒を含み、前記支持棒には横棒が固定的に取り付けられ、前記横棒の底部端面にはフックが固定的に取り付けられている。
【発明の効果】
【０００８】
本発明の有益な効果は：本発明は使った後の筆の水を搾れ、固定部品が穂首を、水を搾る位置に確保でき、ペン先を損害しなく、水を搾った後乾燥な環境に置き、筆の毛の乾燥を保証し、書写する時筆の置き方式を変え、穂首を内部に向かせ、間違って触らないのを保証でき、普及する価値がある。
【図面の簡単な説明】
【０００９】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成模式図
【図２】図２は図１の右面構成模式図
【図３】図３は図１のＡ―Ａの方向の断面構成模式図
【図４】図４は図１のＢ―Ｂの方向の断面構成模式図
【図５】図５は図１のＣ―Ｃの方向の断面構成模式図
【図６】図６は図４のＤ―Ｄの方向の断面構成模式図
【図７】図７は部品の固定挟み３２の底面構成模式図
【図８】図８は部品の水搾りリング１７の開いた模式図
【発明を実施するための形態】
【００１１】
図１〜８を参考して、本発明の実施例における筆置き台は、外殻１０を含み、前記外殻１０の中には上に開口した筆差込溝２２が設置され、前記外殻１０の中には筆を筆差込溝２２の中に固定できる固定部品８０が設置され、前記固定部品８０は前記筆差込溝２２の左右の内壁の中に左右に対称的に設置されたサポート台スライド溝３７を含み、前記サポート台スライド溝３７の中にはサポート台２８がスライドできるように取り付けられ、前記筆差込溝２２の後側にはプーリ溝３９が左右に対称的に設置され、前記プーリ溝３９と前記プーリ溝３９との間には連通したプーリ軸スライド溝３８が設置され、前記サポート台２８にはプーリ軸４０が回転できるように取り付けられ、前記プーリ軸４０には筆の筆管を挟める挟み輪２７が固定的に取り付けられ、前記プーリ軸４０の後側端面には第一プーリ４１が固定的に取り付けられ、前記サポート台スライド溝３７の上側には前記筆差込溝２２と連通し合った固定溝２４が左右に対称的に設置され、前記固定溝２４の中には筆の筆管を固定できる挟みブロック２３がスライドできるように取り付けられ、前記固定溝２４と前記プーリ溝３９との間にはネジ山軸４４が回転できるように取り付けられ、前記ネジ山軸４４の後側端面には第二プーリ４５が固定的に取り付けられ、前記第二プーリ４５が前記第二プーリ４５と前記第一プーリ４１との間に取り付けられたベルト４２によって回転連動し、前記プーリ溝３９の前後の内壁の間にはガイド輪支持棒４７が上下に対称的にヒンジで取り付けられ、前記ガイド輪支持棒４７の末端にはガイド輪４６が回転できるように取り付けられ、前記ガイド輪４６と前記ベルト４２とが接触し、前記ベルト４２をピント張った状態にさせ、上下の前記ガイド輪支持棒４７の間には引き撥条４８が固定的に取り付けられ、前記固定溝２４の前側の内壁の中にはネジスリーブスライド溝４３が設置され、前記ネジスリーブスライド溝４３の中にはネジスリーブ２６がスライドできるように取り付けられ、前記ネジスリーブ２６と前記ネジ山軸４４とがネジ山によって連結され、前記ネジ山軸４４が回転しながら前記ネジスリーブ２６を前後にスライド連動させ、前記挟みブロック２３を推して前記筆差込溝２２の円心の方向に運動させ、筆の筆管を固定させ、前記挟みブロック２３と前記固定溝２４の一側の内壁との間には復帰撥条２５が固定的に取り付けられ、前記固定部品８０の下側には水搾り部品８１が設置され、前記水搾り部品８１は前記筆差込溝２２の中に設置された水搾り溝１５を含み、前記水搾り溝１５の中には押しブロック１６が左右に対称的にスライドできるように取り付けられ、左右の前記押しブロック１６の間には穂首の水を搾れる水搾りリング１７が設置され、前記水搾りリング１７が前記押しブロック１６によって水搾りリング１７の中の穂首を圧縮して水を絞り、前記水搾り溝１５の右側の内壁を前記外殻１０の左端面との間にはハンドル車軸１４が回転できるように取り付けられ、前記ハンドル車軸１４には二つの回転方向が反対したネジ山が設置され、前記押しブロック１６と前記ハンドル車軸１４とがネジ山によって連結され、前記ハンドル車軸１４の左側端面にはハンドル車１３が固定的に取り付けられ、前記筆差込溝２２の底壁には搾り出した水を盛る水盛り溝１１が設置され、前記固定部品８０の右側には置き部品８２が設置され、前記置き部品８２は前記外殻１０の頂部端面に設置された乾燥溝３０を含み、前記乾燥溝３０の内壁には水を吸収できる乾燥剤３１が固定的に取り付けられ、前記乾燥溝３０の後側の内壁には筆を固定できる固定挟み３２が固定的に取り付けられ、前記置き部品８２は前記外殻１０の前側端面に設置された一時的に筆を置ける臨時置き台３６を含む。
【００１２】
前記固定部品８０は前記サポート台２８の一側端面と前記サポート台スライド溝３７の一側の内壁との間に固定的に取り付けられた押し撥条２９を含み、左側の前記サポート台スライド溝３７の左側にはスライド棒溝１９が設置され、左側の前記サポート台スライド溝３７と前記スライド棒溝１９との間にはスライド棒２１がスライドできるように取り付けられ、前記スライド棒２１と左側の前記サポート台２８の左側端面とが固定的に連結され、前記スライド棒２１には固定ピン２０が固定的に取り付けられ、前記スライド棒溝１９と前記外殻１０の頂部端面との間にはボタン１８がスライドできるように取り付けられ、前記ボタン１８と前記固定ピン２０とがスライドできるように連結され、
それによりボタン１８を押し、ボタン１８はスライド棒２１を推して左側の挟み輪２７を左にスライドさせ、筆を筆差込溝２２の中に差し込み、筆を差し込む過程中に、筆の筆管が挟み輪２７とプーリ軸４０とを回転連動させ、プーリ軸４０が回転して第一プーリ４１を回転連動させ、第一プーリ４１が回転して前記第二プーリ４５とネジ山軸４４とを回転連動させ、ネジ山軸４４が回転してネジスリーブ２６を前後にスライド連動させ、ネジスリーブ２６が前後にスライドすることにより、挟みブロック２３が筆の筆管を固定できる。
【００１３】
前記置き部品８２はまた前記外殻１０の頂部端面に固定的に取り付けられた支持棒３３を含み、前記支持棒３３には横棒３４が固定的に取り付けられ、前記横棒３４の底部端面にはフック３５が固定的に取り付けられ、それにより筆の水を搾った後フック３５に掛けられ、固定挟み３２によって乾燥溝３０の中に固定し、筆の毛を乾燥させ、臨時置き台３６が筆を使う時一時的に筆を置ける。
【００１４】
使用する時：筆を使った後、ボタン１８を押し、ボタン１８がスライド棒２１を推して左側の挟み輪２７を左にスライド連動させ、筆を筆差込溝２２の中に差し込み、筆を差し込む過程中に、筆の筆管が挟み輪２７とプーリ軸４０を回転連動させ、プーリ軸４０が回転して第一プーリ４１を回転連動させ、第一プーリ４１が回転して前記第二プーリ４５とネジ山軸４４とを回転連動させ、ネジ山軸が回転してネジスリーブ２６を前後にスライド連動させ、ネジスリーブ２６が前後にスライドし、それにより挟みブロック２３が筆の筆管を固定でき、ハンドル車１３を回転させ、ハンドル車１３がハンドル車軸１４を回転連動させ、ハンドル車軸１４が左右の二つの押しブロック１６を中間に連動して水搾りリング１７をきつく挟み、水搾りリング１７が筆の毛の水を搾り、搾り出した水が水盛り溝１１の中に流れ込み、筆の水を搾った後フック３５に掛け、且つ固定挟み３２によって乾燥溝３０の中に固定し、筆の毛を乾燥させることができ、臨時置き台３６が筆を使う時に筆を一時的に置ける。
【００１５】
本発明の有益な効果は：本発明は使った後の筆の水を搾れ、固定部品が穂首を、水を搾る位置に確保でき、ペン先を損害しなく、水を搾った後乾燥な環境に置き、筆の毛の乾燥を保証し、書写する時筆の置き方式を変え、穂首を内部に向かせ、間違って触らないのを保証でき、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179655.tif 000003
【図２】
2020179655.tif 000004
【図３】
2020179655.tif 000005
【図４】
2020179655.tif 000006
【図５】
2020179655.tif 000007
【図６】
2020179655.tif 000008
【図７】
2020179655.tif 000009
【図８】
2020179655.tif 000010
【手続補正書】
【提出日】令和2年1月18日(2020.1.18)
【手続補正１】
【補正対象書類名】特許請求の範囲
【補正対象項目名】全文
【補正方法】変更
【補正の内容】
【特許請求の範囲】
【請求項１】
正面視で、外殻を含み、前記外殻の中には上に開口した筆差込溝が設置され、前記外殻の中には筆を筆差込溝の中に固定できる固定部品が設置され、前記固定部品は前記筆差込溝の左右の内壁の中に左右に対称的に設置されたサポート台スライド溝を含み、前記サポート台スライド溝の中にはサポート台がスライドできるように取り付けられ、前記筆差込溝の後側にはプーリ溝が左右に対称的に設置され、前記プーリ溝と前記筆差込溝との間には連通したプーリ軸スライド溝が設置され、前記サポート台にはプーリ軸が回転できるように取り付けられ、前記プーリ軸には筆の筆管を挟める挟み輪が固定的に取り付けられ、前記プーリ軸の後側端面には第一プーリが固定的に取り付けられ、前記サポート台スライド溝の上側には前記筆差込溝と連通し合った固定溝が左右に対称的に設置され、前記固定溝の中には筆の筆管を固定できる挟みブロックがスライドできるように取り付けられ、前記固定溝と前記プーリ溝との間にはネジ山軸が回転できるように取り付けられ、前記ネジ山軸の後側端面には第二プーリが固定的に取り付けられ、前記第二プーリが前記第二プーリと前記第一プーリとの間に取り付けられたベルトによって回転連動し、前記プーリ溝の前後の内壁の間にはガイド輪支持棒が上下に対称的にヒンジで取り付けられ、前記ガイド輪支持棒の末端にはガイド輪が回転できるように取り付けられ、前記ガイド輪と前記ベルトとが接触し、前記ベルトをピント張った状態にさせ、上下の前記ガイド輪支持棒の間には引き撥条が固定的に取り付けられ、前記固定溝の前側の内壁の中にはネジスリーブスライド溝が設置され、前記ネジスリーブスライド溝の中にはネジスリーブがスライドできるように取り付けられ、前記ネジスリーブと前記ネジ山軸とがネジ山によって連結され、前記ネジ山軸が回転しながら前記ネジスリーブを前後にスライド連動させ、前記挟みブロックを推して前記筆差込溝の円心の方向に運動させ、筆の筆管を固定させ、前記挟みブロックと前記固定溝の一側の内壁との間には復帰撥条が固定的に取り付けられ、前記固定部品の下側には水搾り部品が設置され、前記水搾り部品は前記筆差込溝の中に設置された水搾り溝を含み、前記水搾り溝の中には押しブロックが左右に対称的にスライドできるように取り付けられ、左右の前記押しブロックの間には穂首の水を搾れる水搾りリングが設置され、前記水搾りリングが前記押しブロックによって水搾りリングの中の穂首を圧縮して水を絞り、前記水搾り溝の右側の内壁を前記外殻の左端面との間にはハンドル車軸が回転できるように取り付けられ、前記ハンドル車軸には二つの回転方向が反対したネジ山が設置され、前記押しブロックと前記ハンドル車軸とがネジ山によって連結され、前記ハンドル車軸の左側端面にはハンドル車が固定的に取り付けられ、前記筆差込溝の底壁には搾り出した水を盛る水盛り溝が設置され、前記固定部品の右側には置き部品が設置され、前記置き部品は前記外殻の頂部端面に設置された乾燥溝を含み、前記乾燥溝の内壁には水を吸収できる乾燥剤が固定的に取り付けられ、前記乾燥溝の後側の内壁には筆を固定できる固定挟みが固定的に取り付けられ、前記置き部品は前記外殻の前側端面に設置された一時的に筆を置ける臨時置き台を含むことを特徴とする筆置き台。
【請求項２】
前記固定部品は前記サポート台の一側端面と前記サポート台スライド溝の一側の内壁との間に固定的に取り付けられた押し撥条を含み、左側の前記サポート台スライド溝の左側にはスライド棒溝が設置され、左側の前記サポート台スライド溝と前記スライド棒溝との間にはスライド棒がスライドできるように取り付けられ、前記スライド棒と左側の前記サポート台の左側端面とが固定的に連結され、前記スライド棒には固定ピンが固定的に取り付けられ、前記スライド棒溝と前記外殻の頂部端面との間にはボタンがスライドできるように取り付けられ、前記ボタンと前記固定ピンとがスライドできるように連結されていることを特徴とする請求項１に記載の筆置き台。
【請求項３】
前記置き部品はまた前記外殻の頂部端面に固定的に取り付けられた支持棒を含み、前記支持棒には横棒が固定的に取り付けられ、前記横棒の底部端面にはフックが固定的に取り付けられていることを特徴とする請求項１に記載の筆置き台。
【手続補正２】
【補正対象書類名】明細書
【補正対象項目名】全文
【補正方法】変更
【補正の内容】
【発明の詳細な説明】
【技術分野】
【０００１】
本発明は文房具の分野を取り上げて、具体的には筆置き台である。
【背景技術】
【０００２】
筆が使われた後一般に大量な水分が残っており、もし乾燥させるタイミングが悪く、筆の
質に一定の影響を及ぼし、一般的な筆置き台は、書写する時に臨時使用に使われるだけ、
穂首に水を搾ったり、乾燥して保存したりすることはできない。
【先行技術文献】
【特許文献】
【０００３】
【特許文献１】中国特許出願公開第１０４４４２１３２号明細書
【発明の概要】
【発明が解決しようとする課題】
【０００４】
本発明の目的は筆置き台を提供し、現有の技術の上記欠点を克服できる。
【課題を解決するための手段】
【０００５】
本発明の実施例における筆置き台は、外殻を含み、前記外殻の中には上に開口した筆差込溝が設置され、前記外殻の中には筆を筆差込溝の中に固定できる固定部品が設置され、前記固定部品は前記筆差込溝の左右の内壁の中に左右に対称的に設置されたサポート台スライド溝を含み、前記サポート台スライド溝の中にはサポート台がスライドできるように取り付けられ、前記筆差込溝の後側にはプーリ溝が左右に対称的に設置され、前記プーリ溝と前記筆差込溝との間には連通したプーリ軸スライド溝が設置され、前記サポート台にはプーリ軸が回転できるように取り付けられ、前記プーリ軸には筆の筆管を挟める挟み輪が固定的に取り付けられ、前記プーリ軸の後側端面には第一プーリが固定的に取り付けられ、前記サポート台スライド溝の上側には前記筆差込溝と連通し合った固定溝が左右に対称的に設置され、前記固定溝の中には筆の筆管を固定できる挟みブロックがスライドできるように取り付けられ、前記固定溝と前記プーリ溝との間にはネジ山軸が回転できるように取り付けられ、前記ネジ山軸の後側端面には第二プーリが固定的に取り付けられ、前記第二プーリが前記第二プーリと前記第一プーリとの間に取り付けられたベルトによって回転連動し、前記プーリ溝の前後の内壁の間にはガイド輪支持棒が上下に対称的にヒンジで取り付けられ、前記ガイド輪支持棒の末端にはガイド輪が回転できるように取り付けられ、前記ガイド輪と前記ベルトとが接触し、前記ベルトをピント張った状態にさせ、上下の前記ガイド輪支持棒の間には引き撥条が固定的に取り付けられ、前記固定溝の前側の内壁の中にはネジスリーブスライド溝が設置され、前記ネジスリーブスライド溝の中にはネジスリーブがスライドできるように取り付けられ、前記ネジスリーブと前記ネジ山軸とがネジ山によって連結され、前記ネジ山軸が回転しながら前記ネジスリーブを前後にスライド連動させ、前記挟みブロックを推して前記筆差込溝の円心の方向に運動させ、筆の筆管を固定させ、前記挟みブロックと前記固定溝の一側の内壁との間には復帰撥条が固定的に取り付けられ、前記固定部品の下側には水搾り部品が設置され、前記水搾り部品は前記筆差込溝の中に設置された水搾り溝を含み、前記水搾り溝の中には押しブロックが左右に対称的にスライドできるように取り付けられ、左右の前記押しブロックの間には穂首の水を搾れる水搾りリングが設置され、前記水搾りリングが前記押しブロックによって水搾りリングの中の穂首を圧縮して水を絞り、前記水搾り溝の右側の内壁を前記外殻の左端面との間にはハンドル車軸が回転できるように取り付けられ、前記ハンドル車軸には二つの回転方向が反対したネジ山が設置され、前記押しブロックと前記ハンドル車軸とがネジ山によって連結され、前記ハンドル車軸の左側端面にはハンドル車が固定的に取り付けられ、前記筆差込溝の底壁には搾り出した水を盛る水盛り溝が設置され、前記固定部品の右側には置き部品が設置され、前記置き部品は前記外殻の頂部端面に設置された乾燥溝を含み、前記乾燥溝の内壁には水を吸収できる乾燥剤が固定的に取り付けられ、前記乾燥溝の後側の内壁には筆を固定できる固定挟みが固定的に取り付けられ、前記置き部品は前記外殻の前側端面に設置された一時的に筆を置ける臨時置き台を含む。
【０００６】
更なる技術方案、前記固定部品は前記サポート台の一側端面と前記サポート台スライド溝の一側の内壁との間に固定的に取り付けられた押し撥条を含み、左側の前記サポート台スライド溝の左側にはスライド棒溝が設置され、左側の前記サポート台スライド溝と前記スライド棒溝との間にはスライド棒がスライドできるように取り付けられ、前記スライド棒と左側の前記サポート台の左側端面とが固定的に連結され、前記スライド棒には固定ピンが固定的に取り付けられ、前記スライド棒溝と前記外殻の頂部端面との間にはボタンがスライドできるように取り付けられ、前記ボタンと前記固定ピンとがスライドできるように連結されている。
【０００７】
前記置き部品はまた前記外殻の頂部端面に固定的に取り付けられた支持棒を含み、前記支持棒には横棒が固定的に取り付けられ、前記横棒の底部端面にはフックが固定的に取り付けられている。
【発明の効果】
【０００８】
本発明の有益な効果は：本発明は使った後の筆の水を搾れ、固定部品が穂首を、水を搾る位置に確保でき、ペン先を損害しなく、水を搾った後乾燥な環境に置き、筆の毛の乾燥を保証し、書写する時筆の置き方式を変え、穂首を内部に向かせ、間違って触らないのを保証でき、普及する価値がある。
【図面の簡単な説明】
【０００９】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成模式図
【図２】図２は図１の右面構成模式図
【図３】図３は図１のＡ―Ａの方向の断面構成模式図
【図４】図４は図１のＢ―Ｂの方向の断面構成模式図
【図５】図５は図１のＣ―Ｃの方向の断面構成模式図
【図６】図６は図４のＤ―Ｄの方向の断面構成模式図
【図７】図７は部品の固定挟み３２の底面構成模式図
【図８】図８は部品の水搾りリング１７の開いた模式図
【発明を実施するための形態】
【００１１】
図１〜８を参考して、本発明の実施例における筆置き台は、外殻１０を含み、前記外殻１０の中には上に開口した筆差込溝２２が設置され、前記外殻１０の中には筆を筆差込溝２２の中に固定できる固定部品８０が設置され、前記固定部品８０は前記筆差込溝２２の左右の内壁の中に左右に対称的に設置されたサポート台スライド溝３７を含み、前記サポート台スライド溝３７の中にはサポート台２８がスライドできるように取り付けられ、前記筆差込溝２２の後側にはプーリ溝３９が左右に対称的に設置され、前記プーリ溝３９と前記筆差込溝２２との間には連通したプーリ軸スライド溝３８が設置され、前記サポート台２８にはプーリ軸４０が回転できるように取り付けられ、前記プーリ軸４０には筆の筆管を挟める挟み輪２７が固定的に取り付けられ、前記プーリ軸４０の後側端面には第一プーリ４１が固定的に取り付けられ、前記サポート台スライド溝３７の上側には前記筆差込溝２２と連通し合った固定溝２４が左右に対称的に設置され、前記固定溝２４の中には筆の筆管を固定できる挟みブロック２３がスライドできるように取り付けられ、前記固定溝２４と前記プーリ溝３９との間にはネジ山軸４４が回転できるように取り付けられ、前記ネジ山軸４４の後側端面には第二プーリ４５が固定的に取り付けられ、前記第二プーリ４５が前記第二プーリ４５と前記第一プーリ４１との間に取り付けられたベルト４２によって回転連動し、前記プーリ溝３９の前後の内壁の間にはガイド輪支持棒４７が上下に対称的にヒンジで取り付けられ、前記ガイド輪支持棒４７の末端にはガイド輪４６が回転できるように取り付けられ、前記ガイド輪４６と前記ベルト４２とが接触し、前記ベルト４２をピント張った状態にさせ、上下の前記ガイド輪支持棒４７の間には引き撥条４８が固定的に取り付けられ、前記固定溝２４の前側の内壁の中にはネジスリーブスライド溝４３が設置され、前記ネジスリーブスライド溝４３の中にはネジスリーブ２６がスライドできるように取り付けられ、前記ネジスリーブ２６と前記ネジ山軸４４とがネジ山によって連結され、前記ネジ山軸４４が回転しながら前記ネジスリーブ２６を前後にスライド連動させ、前記挟みブロック２３を推して前記筆差込溝２２の円心の方向に運動させ、筆の筆管を固定させ、前記挟みブロック２３と前記固定溝２４の一側の内壁との間には復帰撥条２５が固定的に取り付けられ、前記固定部品８０の下側には水搾り部品８１が設置され、前記水搾り部品８１は前記筆差込溝２２の中に設置された水搾り溝１５を含み、前記水搾り溝１５の中には押しブロック１６が左右に対称的にスライドできるように取り付けられ、左右の前記押しブロック１６の間には穂首の水を搾れる水搾りリング１７が設置され、前記水搾りリング１７が前記押しブロック１６によって水搾りリング１７の中の穂首を圧縮して水を絞り、前記水搾り溝１５の右側の内壁を前記外殻１０の左端面との間にはハンドル車軸１４が回転できるように取り付けられ、前記ハンドル車軸１４には二つの回転方向が反対したネジ山が設置され、前記押しブロック１６と前記ハンドル車軸１４とがネジ山によって連結され、前記ハンドル車軸１４の左側端面にはハンドル車１３が固定的に取り付けられ、前記筆差込溝２２の底壁には搾り出した水を盛る水盛り溝１１が設置され、前記固定部品８０の右側には置き部品８２が設置され、前記置き部品８２は前記外殻１０の頂部端面に設置された乾燥溝３０を含み、前記乾燥溝３０の内壁には水を吸収できる乾燥剤３１が固定的に取り付けられ、前記乾燥溝３０の後側の内壁には筆を固定できる固定挟み３２が固定的に取り付けられ、前記置き部品８２は前記外殻１０の前側端面に設置された一時的に筆を置ける臨時置き台３６を含む。
【００１２】
前記固定部品８０は前記サポート台２８の一側端面と前記サポート台スライド溝３７の一側の内壁との間に固定的に取り付けられた押し撥条２９を含み、左側の前記サポート台スライド溝３７の左側にはスライド棒溝１９が設置され、左側の前記サポート台スライド溝３７と前記スライド棒溝１９との間にはスライド棒２１がスライドできるように取り付けられ、前記スライド棒２１と左側の前記サポート台２８の左側端面とが固定的に連結され、前記スライド棒２１には固定ピン２０が固定的に取り付けられ、前記スライド棒溝１９と前記外殻１０の頂部端面との間にはボタン１８がスライドできるように取り付けられ、前記ボタン１８と前記固定ピン２０とがスライドできるように連結され、それによりボタン１８を押し、ボタン１８はスライド棒２１を推して左側の挟み輪２７を左にスライドさせ、筆を筆差込溝２２の中に差し込み、筆を差し込む過程中に、筆の筆管が挟み輪２７とプーリ軸４０とを回転連動させ、プーリ軸４０が回転して第一プーリ４１を回転連動させ、第一プーリ４１が回転して前記第二プーリ４５とネジ山軸４４とを回転連動させ、ネジ山軸４４が回転してネジスリーブ２６を前後にスライド連動させ、ネジスリーブ２６が前後にスライドすることにより、挟みブロック２３が筆の筆管を固定できる。
【００１３】
前記置き部品８２はまた前記外殻１０の頂部端面に固定的に取り付けられた支持棒３３を含み、前記支持棒３３には横棒３４が固定的に取り付けられ、前記横棒３４の底部端面にはフック３５が固定的に取り付けられ、それにより筆の水を搾った後フック３５に掛けられ、固定挟み３２によって乾燥溝３０の中に固定し、筆の毛を乾燥させ、臨時置き台３６が筆を使う時一時的に筆を置ける。
【００１４】
使用する時：筆を使った後、ボタン１８を押し、ボタン１８がスライド棒２１を推して左側の挟み輪２７を左にスライド連動させ、筆を筆差込溝２２の中に差し込み、筆を差し込む過程中に、筆の筆管が挟み輪２７とプーリ軸４０を回転連動させ、プーリ軸４０が回転して第一プーリ４１を回転連動させ、第一プーリ４１が回転して前記第二プーリ４５とネジ山軸４４とを回転連動させ、ネジ山軸が回転してネジスリーブ２６を前後にスライド連動させ、ネジスリーブ２６が前後にスライドし、それにより挟みブロック２３が筆の筆管を固定でき、ハンドル車１３を回転させ、ハンドル車１３がハンドル車軸１４を回転連動させ、ハンドル車軸１４が左右の二つの押しブロック１６を中間に連動して水搾りリング１７をきつく挟み、水搾りリング１７が筆の毛の水を搾り、搾り出した水が水盛り溝１１の中に流れ込み、筆の水を搾った後フック３５に掛け、且つ固定挟み３２によって乾燥溝３０の中に固定し、筆の毛を乾燥させることができ、臨時置き台３６が筆を使う時に筆を一時的に置ける。
【００１５】
本発明の有益な効果は：本発明は使った後の筆の水を搾れ、固定部品が穂首を、水を搾る位置に確保でき、ペン先を損害しなく、水を搾った後乾燥な環境に置き、筆の毛の乾燥を保証し、書写する時筆の置き方式を変え、穂首を内部に向かせ、間違って触らないのを保証でき、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。